(57)【特許請求の範囲】
【請求項１】
内側の形材壁（１３ａ）と外側の形材壁（１３ｂ）と該両形材壁（１３ａ，１３ｂ）を結合する周壁面（１３ｃ）とを備える中空室形材として形成された引き出し側壁（４）であって、
前記引き出し側壁（４）の前記内側の形材壁（１３ａ）、前記外側の形材壁（１３ｂ）および／または前記周壁面（１３ｃ）の少なくとも一方の端領域に配置された開口（１０）と、
前記開口（１０）を閉鎖位置で閉鎖しかつ前記開口（１０）を開放位置で開放する、可動に支持されたカバー部材（１１）と、
ばね要素（１８）であって、該ばね要素（１８）の作用方向で前記カバー部材（１１）に前記閉鎖位置に向かって予荷重を加えるばね要素（１８）と
を有しており、前記カバー部材（１１）が、前記周壁面（１３ｃ）に対して平行な方向では不動に支持されていて、前記ばね要素（１８）の前記作用方向と逆方向では、前記周壁面（１３ｃ）に対してほぼ直角に可動に支持されている、引き出し側壁（４）において、
前記カバー部材（１１）が、全ての作動位置において前記引き出し側壁（４）の内部に配置されていることを特徴とする、引き出し側壁（４）。
【請求項２】
前記ばね要素（１８）がプラスチック部材の弾性材料によって形成されていることを特徴とする、請求項１記載の引き出し側壁。
【請求項３】
前記カバー部材（１１）が前記ばね要素（１８）と共に一体に形成されていることを特徴とする、請求項１または２記載の引き出し側壁。
【請求項４】
前記ばね要素（１８）が、軸線（Ｘ）を中心として撓み可能にまたは傾動可能に基体（２０）に支持されており、該基体（２０）は前記引き出し側壁（４）の中空室内に配置されており、前記ばね要素（１８）が自由端領域を有しており、前記ばね要素（１８）の前記自由端領域によって、前記カバー部材（１１）が形成されていることを特徴とする、請求項１から３までのいずれか１項記載の引き出し側壁。
【請求項５】
前記引き出し側壁（４）が、折り曲げられた金属形材によって形成されていることを特徴とする、請求項１から４までのいずれか１項記載の引き出し側壁。
【請求項６】
前記金属形材は、金属製の押出し形材または鋼薄板であることを特徴とする、請求項５記載の引き出し側壁。
【請求項７】
前記カバー部材（１１）が、該カバー部材（１１）の前記閉鎖位置で前記引き出し側壁（４）の前記周壁面（１３ｃ）と同一平面を成す突出部（１９）を有していることを特徴とする、請求項１から６までのいずれか１項記載の引き出し側壁。
【請求項８】
前記開口（１０）が、前記引き出し側壁（４）の上側に配置されていることを特徴とする、請求項１から７までのいずれか１項記載の引き出し側壁。
【請求項９】
前記開口（１０）が配置されている前記端領域は、前記引き出し側壁（４）の前方であることを特徴とする、請求項１から８までのいずれか１項記載の引き出し側壁。
【請求項１０】
請求項１から９までのいずれか１項記載の引き出し側壁（４）と、組付け位置で前記引き出し側壁（４）に載置された壁要素（５）とを備えたアッセンブリ。
【請求項１１】
前記壁要素（５）にフック（１４）が配置されているかまたは形成されており、該フック（１４）が、前記組付け位置で前記引き出し側壁（４）の開口（１０）内に係合していることを特徴とする、請求項１０記載のアッセンブリ。
【請求項１２】
前記壁要素（５）が、折り曲げられた金属形材によって形成されているかまたは、ガラス、木材、プラスチック、石材またはセラミックスから成る装飾プレートによって形成されていることを特徴とする、請求項１０または１１記載のアッセンブリ。
【請求項１３】
請求項１から９までのいずれか１項記載の少なくとも１つの引き出し側壁（４）または請求項１０から１２までのいずれか１項記載のアッセンブリを備えた引き出し（３）。
【発明の詳細な説明】
【技術分野】
【０００１】
本発明は、引き出し壁であって、
引き出し壁の周壁面に配置された開口と、
開口を閉鎖位置で閉鎖しかつ開口を開放位置で開放する、可動に支持されたカバー部材と、
ばね要素であって、このばね要素の作用方向でカバー部材に閉鎖位置に向かって予荷重を加えるばね要素と
を有しており、カバー部材が、周壁面に対して平行な方向では不動に支持されていて、ばね要素の作用方向と逆方向では、周壁面に対してほぼ直角に可動に支持されている、引き出し壁に関する。
【０００２】
さらに、本発明は、記載すべき形態の引き出し壁と、組付け位置で引き出し壁に載置された壁要素とを備えたアッセンブリに関する。
【０００３】
さらに、本発明は、このような少なくとも１つの引き出し壁または前述した形態のアッセンブリを備えた引き出しに関する。
【０００４】
欧州特許出願公開第１６３２１５１号明細書（EP 1 632 151 A1）には、中空室形材として形成された引き出し壁が示されている。この引き出し壁は、保持装置または調整装置を調節するためのねじ回しを導入することができる、周壁面に配置された開口を有している。この開口は、運動可能に支持されたカバー部材によって閉鎖可能である。このカバー部材はばね装置によって、開口を閉鎖する位置に押圧可能である。
【０００５】
国際公開第２０１０／０４５７８２号（WO 2010/045782 A1）の図１４に記載の実施例には、引き出し側壁が示されている。この引き出し側壁は、前方の端領域に配置された開口を有している。この開口によって、引き出し側壁を前板に解離可能にロックするためのロック装置への接近が可能となる。開口を閉鎖するために、フレキシブルな材料から製造されたカバー部材が設けられている。このカバー部材は、一方の第１の取付け端部でもって側壁に旋回可能に支持されていて、第２の取付け端部でもって突出部によって引き出し側壁の孔内にスナップ嵌め可能である。これには、カバー部材が開放位置で引き出し側壁から横方向外向きに張り出してしまい、したがって、付加的な構成スペースが設けられなければならないという欠点がある。さらに、カバー部材が物体によって剪断または折損されてしまい、したがって、開口を閉鎖するためにもはや使用できなくなってしまうという危険がある。
【０００６】
独国実用新案第２０２０１０００２６１７号明細書（DE 20 2010 002 617 U1）の図３〜図５には、切抜き部を有する引き出し側壁が示されている。この引き出し側壁では、操作レバーが、組付け位置で鉛直方向に延びる軸線を中心として旋回可能に支持されている。操作レバーは、フロントプレートをばね要素の力によってロックするために設けられており、これによって、フロントプレートに対する保持力が提供される。ロックのためには、操作レバーがばね要素の力に抗して、切抜き部を塞ぐ閉鎖位置に運動させられなければならない。
【０００７】
本発明の課題は、上で論じた欠点を回避して、冒頭に述べたカテゴリの、よりコンパクトな引き出し壁を提供することである。
【０００８】
このことは、本発明によれば、請求項１の特徴によって解決される。本発明の別の有利な実施例は、従属請求項に定義してある。
【０００９】
したがって、本発明によれば、カバー部材が、全ての作動位置において引き出し壁の内部に配置されていることが提案されている。このことは、カバー部材が、少なくとも部分的に引き出し壁の壁厚さの内部に配置されていてよいという手段も含んでいる。
【００１０】
引き出し壁は、周壁面に配置された少なくとも１つの開口と、この開口を閉鎖するためのカバー部材とを有している。このカバー部材は、閉鎖位置で開口を塞いでいて、ばね要素のばね弾性作用に抗して開口平面に対して垂直な方向で引き出し壁の内部に向かって運動可能である。
【００１１】
周壁面に設けられた開口は、例えば、引き出し壁の調整装置を回動させ、かつ／または第２の引き出し壁の取付け要素を導入し、かつ／または引き出し構成部材用の保持体を導入するためのねじ回しの導入を可能にするために設けることができる。第２の引き出し壁は、折り曲げられた金属形材によって形成されていてもよいし、代替的には、例えばガラス、木材、プラスチック、石材またはセラミックスから成る装飾プレートによって形成されていてもよい。
【００１２】
ばね要素は、コイルばね、例えば圧縮ばねによって形成することができる。代替的には、ばね要素をプラスチック部材の材料弾性によって形成することが可能である。これに相俟って、カバー部材がばね要素と共に一体に形成されていると有利であり得る。こうして、簡単な構造および経済的な製造が実現可能となる。
【００１３】
ばね要素は、軸線を中心として撓み可能にまたは傾動可能に基体に支持することができる。ばね要素は自由端領域を有することができ、ばね要素の自由端領域によって、カバー部材が形成されている。基体は、プラスチックの射出により一体成形することができ、引き出し壁の中空室内に収容することができる。
【００１４】
本発明の更なる詳細および利点は、図面に示した実施例に基づき明らかである。
【図面の簡単な説明】
【００１５】
【図１ａ】走行可能な引き出しを備えた家具の斜視図である。
【図１ｂ】壁要素が載置された引き出し壁の斜視図である。
【図２ａ】引き出し壁の斜視図である。
【図２ｂ】引き出し壁の拡大詳細図である。
【図３ａ】引き出し壁を、載置すべき壁要素と共に前方から見た斜視図である。
【図３ｂ】引き出し壁の開口内への壁要素のフックの導入を時系列で示す図である。
【図３ｃ】引き出し壁の開口内への壁要素のフックの導入を時系列で示す図である。
【図３ｄ】引き出し壁の開口内への壁要素のフックの導入を時系列で示す図である。
【図４】壁要素の支持レールの斜視図である。
【００１６】
図１ａには、引き出し３を備えた家具１の斜視図が示してある。引き出し３は、（図示していない）引き出し用引出しガイドを介して家具キャビネット２に対して相対的に走行可能に支持されている。引き出し３はそれぞれ、引き出し底板７と、引き出し壁４と、この引き出し壁４に載置された壁要素５とを有している。引き出し壁４と壁要素５とは、それぞれ前板６に結合されている。
【００１７】
図１ｂには、壁要素５が載置された引き出し壁４が斜視図で示してある。この引き出し壁４は、折り曲げられた金属形材、好ましくは金属製の押出し形材または鋼薄板によって形成することができる。前板６には、高さ方向に互いに間隔を置いて配置された２つのプラグ９ａを備えた保持部材９が取り付けられていなければならない。前板６に予め組み付けられた保持部材９は、引き出し壁４内に配置されたロック装置１６（図４）に解離可能にロック可能である。引き出し壁４は、さらに、引き出し底板７を支持するための載置ウェブ４ａと、引き出し背壁を取り付けるための取付けアダプタ８とを有している。壁要素５も同じく、折り曲げられた中空室形材によって形成することができる。
【００１８】
図２ａには、引き出し壁４の斜視図が示してある。この引き出し壁４は、内側の形材壁１３ａと外側の形材壁１３ｂとを備えた中空室形材として形成されている。内側の形材壁１３ａと外側の形材壁１３ｂとは、好ましくは平らに形成された周壁面１３ｃを介して互いに結合されている。内側の形材壁１３ａには、取外し可能な閉鎖部材１２が配置されている。この閉鎖部材１２は、形材壁１３ａの、工具を通過させるための切抜き部を覆っている。引き出し壁４の周壁面（つまり、内側の形材壁１３ａ、外側の形材壁１３ｂおよび／または符号１３ｃで示した周壁面）には、開口１０が配置されている。この開口１０は、ねじ回しを通過させるために、かつ／または図１ｂに示した壁要素５を取り付けるために、かつ／または引き出し構成部材用の保持体を取り付けるために設けることができる。
【００１９】
図２ｂには、図２ａにおいて枠で囲んだ範囲が拡大図で示してある。引き出し壁４の、例えば方形の開口１０は、使用されていない場合には、移動可能に支持されたカバー部材１１によって閉鎖されている。このカバー部材１１は、周壁面１３ｃに対して平行な方向では不動に支持されていて、ばね要素１８（図４）の作用方向と逆方向では、周壁面１３ｃに対してほぼ直角に可動に支持されている。カバー部材１１は、全ての作動位置において引き出し壁４の内部に配置されている。１つの実施例によれば、カバー部材１１は突出部１９（図４）を有することもできる。この突出部１９は、カバー部材１１の閉鎖位置で引き出し壁４の周壁面１３ｃと同一平面を成しており、これによって、周壁面１３ｃとカバー部材１１との間に段部または段付け部が生じないようになっている。
【００２０】
図３ａには、引き出し壁４が、載置すべき壁要素５と共に前方から見た斜視図で示してある。図示の実施例では、開口１０が引き出し壁４の前方の端部に配置されている。しかしながら、開口１０は、引き出し壁４の裏側の端領域および／または両形材壁１３ａ，１３ｂのうちの一方の形材壁に配置されていてもよい。壁要素５は、引き出し壁４の開口１０内に導入可能であるフック１４を有している。このフック１４を開口１０内に導入することによって、カバー部材１１が、開口１０を塞ぐ閉鎖位置を起点として、ばね要素１８のばね弾性作用に抗して、開口１０を開放する開放位置に運動可能となる。壁要素５が、（例えばガラスから成る）中実の装飾プレートを有している事例では、フック１４は、装飾プレートに結合可能なアダプタ片に配置されなければならない。
【００２１】
図３ｂには、図３ａにおいて円で囲んだ範囲が拡大図で示してある。この拡大図には、壁要素５の、開口１０内に導入すべきフック１４を認めることができる。カバー部材１１は、開口１０を覆う閉鎖位置にある。図３ｃでは、フック１４がカバー部材１１に接触しており、フック１４を引き続き下方に運動させることによって、図３ｄに示したように、フック１４がカバー部材１１をばね要素１８のばね弾性作用に抗して、開口１０を開放する開放位置に押圧する。つまり、壁要素５のフック１４は、組付け位置で引き出し壁４の開口１０内に係合しており、これによって、引き出し壁４に対して相対的な壁要素５の側方へのかつ／または鉛直方向への変位が阻止されているかまたは制限されている。壁要素４はフック１４に対する固定装置（図示せず）を有していてもよい。この固定装置によって、フック１４が引き出し壁４に対して相対的に形状接続的にまたは力接続的に位置固定可能となる。フック１４が再び開口１０から取り出されると、カバー部材１１がばね要素１８の作用によって、開口１０がカバー部材１１により閉鎖されている閉鎖位置に自動的にスナップバックする。こうして、１つには、見栄えの良い外観像が得られ、もう１つには、引き出し壁４の内部への汚物の侵入を阻止することもできる。
【００２２】
図４には、引き出し壁４の支持レール１５が斜視図で示してある。この支持レール１５は、組付け位置で形材壁１３ａ，１３ｂ（図２）に結合、好ましくは溶接されている。支持レール１５は、横断面で見て、Ｕ字形に成形された区分を有しており、この区分内に引き出し用引出しガイドの引出し可能なレールが配置可能となる。組付け位置で水平方向に延在する載置ウェブ４ａは、支持レール１５に一体に結合することができる。支持レール１５の前方の領域には、前板６に組み付けるべき保持部材９を取り付けるためのロック装置１６が配置されている。保持部材９は、蓄力器１７の作用によって自動的にロック装置１６に係止可能である。カバー部材１１に閉鎖位置の方向で力を加えるためのばね要素１８が軸線（Ｘ）を中心として撓み可能にまたは傾動可能に支持されていて、ばね要素１８の作用方向と逆方向の矢印２１の方向で壁要素４の周壁面１３ｃに対してほぼ直角に可動に支持されている基体２０を認めることができる。ばね要素１８は自由端領域を有している。このばね要素１８の自由端領域によって、カバー部材１１が形成されている。つまり、図示の実施例では、カバー部材１１がばね要素１８と共に一体に形成されている。このばね要素１８はプラスチック部材の弾性材料によって形成されている。カバー部材１１は突出部１９を有することもできる。この突出部１９によって、引き出し壁４の開口１０が形状接続的に閉鎖可能となり、これによって、カバー部材１１が閉鎖位置で引き出し壁４の周壁面１３ｃと同一平面を成している。こうして、この周壁面１３ｃとカバー部材１１との間に段部または段付け部が形成されることなく、開口１０の、形の美しい閉鎖が達成される。その上、基体２０は少なくとも１つの当接要素２２を有している。この当接要素２２によって、図示の図面で見て、上方への、つまり、記入した矢印２１と逆方向へのカバー部材１１の運動が制限可能となる。こうして、カバー部材１１は休止位置では、カバー部材１１が引き出し壁４の開口１０を閉鎖している規定された終端位置をとっている。
【００２３】
図面に示した形態と異なり、カバー部材１１は、移動可能に支持された円筒状のピンを有していてもよい。このピンには、コイルばねによって閉鎖位置の方向に予荷重が加えられている。円筒状のピンは、閉鎖位置で引き出し要素４の円形の開口１０を閉鎖していて、コイルばねの作用方向と逆方向で、例えばガイド内にまたはガイドに沿って可動に支持されている。
【図１ａ】
0006840265.tif 000002
【図１ｂ】
0006840265.tif 000003
【図２ａ】
0006840265.tif 000004
【図２ｂ】
0006840265.tif 000005
【図３ａ】
0006840265.tif 000006
【図３ｂ】
0006840265.tif 000007
【図３ｃ】
0006840265.tif 000008
【図３ｄ】
0006840265.tif 000009
【図４】
0006840265.tif 000010